(57)【要約】【課題】電界通信の信号品質を電界通信装置の姿勢によらず安定させる。【解決手段】電界通信装置１Ａは、電界通信のための回路１と、回路１を収納するケース２と、ケース２を電界通信媒体に吊すために両端部をケース２に接続されたストラップ３と、電界通信の際における電界通信媒体との容量結合のための容量結合電極４と、容量結合電極４に対して電気的に接続され、ストラップ３に沿わせて設けられた補助電極５とを備える。【選択図】図１
2015002508.tif 000002
【特許請求の範囲】
【請求項１】
電界通信の信号を送受信する回路と、
前記回路を収納するケースと、
前記ケースを電界通信媒体に吊すために両端部を当該ケースに接続されたストラップと、
電界通信の際における前記電界通信媒体との容量結合のための容量結合電極と、
前記容量結合電極に接続され、前記ストラップに沿わせて設けられた補助電極と
を備えることを特徴とする電界通信装置。
【請求項２】
前記両端部の位置が相違する
ことを特徴とする請求項１記載の電界通信装置。
【請求項３】
前記補助電極の両端部が前記容量結合電極に接続されている
ことを特徴とする請求項１または２記載の電界通信装置。
【請求項４】
前記補助電極の一方の端部が前記容量結合電極に接続され、前記補助電極の他方の端部が前記容量結合電極から離間している
ことを特徴とする請求項１または２記載の電界通信装置。
【請求項５】
前記補助電極の一部が被覆に覆われている
ことを特徴とする請求項１ないし４のいずれかに記載の電界通信装置。
【請求項６】
前記補助電極の全部が被覆に覆われている
ことを特徴とする請求項１ないし４のいずれかに記載の電界通信装置。
【請求項７】
前記ケースにおいて電界通信媒体に吊した際に水平方向を向く１つのケース面が透明であり、前記回路は該ケース面側に画面を有し、前記容量結合電極が該ケース面の反対側のケース面に設けられている
ことを特徴とする請求項１ないし４のいずれかに記載の電界通信装置。
【請求項８】
前記ケースにおいて電界通信媒体に吊した際に水平方向を向く１つのケース面に前記容量結合電極が設けられ、該ケース面の反対側のケース面に第２の容量結合電極が設けられ、該第２の容量結合電極に第２の補助電極が接続され、前記補助電極が前記ストラップにおける前記容量結合電極側の部分に沿わされて配置され、前記第２の補助電極が前記ストラップにおける前記第２の容量結合電極側の部分に沿わされて配置されている
ことを特徴とする請求項１記載の電界通信装置。
【発明の詳細な説明】
【技術分野】
【０００１】
本発明は、電界通信の信号品質を装置の姿勢によらず安定させることが可能な電界通信装置に関するものである。
【背景技術】
【０００２】
電界通信に使用する電界通信装置として、例えば、図１４に示すような電極１０１、１０２を有する携帯端末１００が使用される。通信時には、電極１０１、１０２から変調された電界が発生し、この電界が、携帯端末１００を保持する利用者の人体つまり電界通信媒体に伝達される。また、相手の電界通信装置から人体を経由し人体から発生した電界が電極１０１、１０２で受信される。このような、人体と電極の間の電界により伝達される信号の品質は、携帯端末１００の姿勢に左右される。
【０００３】
携帯端末１００は、例えば、図１５（ａ）、（ｂ）に示すようなストラップ１１０を付けたカードケース１２０に格納され、首から下げて使用される。この方法によれば電界を、胸部および腹部を介して電極に伝達することができる。
【０００４】
しかしながら、図１５（ｃ）に示すように前屈みになったり、図１５（ｄ）に示すようにカードケース１２０が横向きになってしまうと、電極が人体から離れ、信号の品質が低下する。そのため、利用者は、図１５（ａ）、（ｂ）に示すようなカードケース１２０の姿勢、つまり、電界通信装置の姿勢を保つように心がけなければならなかった。
【０００５】
また、電界通信では、電界通信媒体を物体とする場合がある。例えば、壁に設けたフックにストラップをかけ、電界通信装置を吊すことが考えられる。この場合でも、例えば、電界通信装置の向きなどによっては電極が壁から離れ、信号の品質が低下することがある。
【０００６】
このような状況に鑑み、電界通信の信号品質を電界通信装置の姿勢によらず安定させる必要があった。
【先行技術文献】
【特許文献】
【０００７】
【特許文献１】特許第４５６２７８３号公報
【発明の概要】
【発明が解決しようとする課題】
【０００８】
本発明は、上記の課題に鑑みてなされたものであり、その目的とするところは、電界通信の信号品質を装置の姿勢によらず安定させることが可能な電界通信装置を提供することにある。
【課題を解決するための手段】
【０００９】
上記の課題を解決するために、本発明の電界通信装置は、電界通信の信号を送受信する回路と、前記回路を収納するケースと、前記ケースを電界通信媒体に吊すために両端部を当該ケースに接続されたストラップと、電界通信の際における前記電界通信媒体との容量結合のための容量結合電極と、前記容量結合電極に接続され、前記ストラップに沿わせて設けられた補助電極とを備えることを特徴とする。
【００１０】
例えば、前記両端部の位置は相違する。例えば、前記補助電極の両端部は前記容量結合電極に接続される。例えば、前記補助電極の一方の端部が前記容量結合電極に接続され、前記補助電極の他方の端部が前記容量結合電極から離間する。例えば、前記補助電極の一部が被覆に覆われる。例えば、前記補助電極の全部が被覆に覆われる。
【００１１】
例えば、前記ケースにおいて電界通信媒体に吊した際に水平方向を向く１つのケース面が透明であり、前記回路は該ケース面側に画面を有し、前記容量結合電極が該ケース面の反対側のケース面に設けられている。
【００１２】
例えば、前記ケースにおいて電界通信媒体に吊した際に水平方向を向く１つのケース面に前記容量結合電極が設けられ、該ケース面の反対側のケース面に第２の容量結合電極が設けられ、該第２の容量結合電極に第２の補助電極が接続され、前記補助電極が前記ストラップにおける前記容量結合電極側の部分に沿わされて配置され、前記第２の補助電極が前記ストラップにおける前記第２の容量結合電極側の部分に沿わされて配置されている。
【発明の効果】
【００１３】
本発明によれば、電界通信の信号品質を電界通信装置の姿勢によらず安定させることができる。
【図面の簡単な説明】
【００１４】
【図１】第１の実施の形態に係る電界通信装置１Ａの構成を示す斜視図である。
【図２】第１の実施の形態の比較例に係る電界通信装置１Ｘの構成を示す斜視図である。
【図３】電界通信装置１Ｘに生じる不都合を説明するための図である。
【図４】第２の実施の形態に係る電界通信装置１Ｂの構成を示す斜視図である。
【図５】電界通信装置１Ｂの変形例の構成を示す斜視図である。
【図６】第３の実施の形態に係る電界通信装置１Ｃの構成を示す斜視図である。
【図７】第４の実施の形態に係る電界通信装置１Ｄの構成を示す斜視図である。
【図８】第５の実施の形態に係る電界通信装置１Ｅの構成を示す斜視図である。
【図９】第６の実施の形態に係る電界通信装置１Ｆの構成を示す斜視図である。
【図１０】第７の実施の形態に係る電界通信装置１Ｇの構成を示す斜視図である。
【図１１】電界通信装置１Ｇの変形例の構成を示す斜視図である。
【図１２】第８の実施の形態に係る電界通信装置１Ｈの構成を示す斜視図である。
【図１３】第９の実施の形態に係る電界通信装置１Ｊの構成を示す斜視図である。
【図１４】従来の電界通信装置の構成を示す斜視図である。
【図１５】電界通信装置の使用形態の例を示す図である。
【発明を実施するための形態】
【００１５】
以下、本発明の実施の形態について図面を参照して説明する。
【００１６】
図１は、第１の実施の形態に係る電界通信装置１Ａの構成を示す斜視図である。
【００１７】
電界通信装置１Ａは、電界通信の信号を送受信する回路１と、回路１を収納するケース２と、ケース２を電界通信媒体に吊すために両端部をケース２に接続されたストラップ３と、電界通信の際における電界通信媒体との容量結合のための容量結合電極４と、容量結合電極４に対して電気的に接続され、ストラップ３に沿わせて設けられた補助電極５とを備える。補助電極５は、例えば、図示のように線状である。
【００１８】
電界通信装置１Ａでは、ストラップ３の両端部の位置が相違するように構成され、好ましくは間隔を広くとっている。また、補助電極５の両方の端部が容量結合電極４に接続されている。図示しないが、回路１と容量結合電極４は電気的に接続され、信号を送受信可能となっている。
【００１９】
ストラップ３は、例えば、利用者の首、壁に設けたフックなどに吊される。よって、ケース２の姿勢によらず、ストラップ３に沿わせて設けられた補助電極５は首やフックに密着しやすくなる。なお、密着とは、ここでは便宜的に用い、触れている状態や、極めて距離が近い状態をいうこととする。例えば、補助電極５を被覆で覆い、利用者の首などが被覆に触れている場合、首と補助電極５の距離は極めて近く、これを便宜的に密着という。
【００２０】
電界通信装置１Ａを用いた電界通信において、回路１は、伝達すべき情報を変調した信号を容量結合電極４に送信し、容量結合電極４は、信号を電界に変換する。また、容量結合電極４に接続された補助電極５からも電界が発生する。
【００２１】
容量結合電極４や補助電極５から発生した電界は、例えば、利用者の体や首に伝達され、あるいは、フックなどを介して壁に伝達され、利用者の人体や壁を介して、相手の電界通信装置で受信される。また、相手の電界通信装置から逆の経路で伝達された信号に応じた電界が、利用者の体や首、フックなどから発生する。容量結合電極４と補助電極５は電界を受信し、電気信号に変換して、回路１に送信する。回路１は、信号を復調する。
【００２２】
ここで、例えば、人体に対するケース２の姿勢によっては、容量結合電極４が電界通信媒体から離れる場合がある。例えば、利用者が前屈みになると、ケース２は人体から離れる。しかしながら、ストラップ３に沿わせて設けられた補助電極５は、首に密着し、その結果、信号品質が安定する。つまり、電界通信の信号品質を電界通信装置の姿勢によらず安定させることができる。その結果、利用者は電界通信装置の姿勢を意識しなくてすむようになる。
【００２３】
また、電界通信装置１Ａでは、補助電極５の両端部が容量結合電極４に接続されているので、ストラップ３の片側が人体などから離れても、残りの部分に設けられた補助電極５の部分が人体などに密着しやすく、もって、信号品質を安定させることができる。
【００２４】
図２は、第１の実施の形態の比較例に係る電界通信装置１Ｘの構成を示す斜視図である。
【００２５】
電界通信装置１Ｘでは、ストラップ３の両端部の位置がほぼ同じとなるように構成される。これにより、図２の矢印で示すようにケース２が回転しやすくなってしまう。
【００２６】
例えば、図３に示すように、容量結合電極４が人体の反対側を向くことで、電界の閉ループができ、電界強度が著しく低下する。
【００２７】
これに対し、図１の電界通信装置１Ａでは、ストラップ３の両端部の位置を相違させ、好ましくは間隔を広くとっているので、このような電界通信装置１Ｘでの不都合が生じる可能性を低くできる。
【００２８】
図４は、第２の実施の形態に係る電界通信装置１Ｂの構成を示す斜視図である。
【００２９】
電界通信装置１Ｂでは、補助電極５の一方の端部が容量結合電極４に接続され、補助電極５の他方の端部が容量結合電極４から離間している。電界通信装置１Ａをいわゆる両持ちタイプとするなら、電界通信装置１Ｂは片持ちタイプである。
【００３０】
電界通信装置１Ｂでは、補助電極５の他方の端部が容量結合電極４から離間しているので、補助電極５の部材の量を少なくできる。つまり、信号品質を安定させつつ、補助電極５の部材の量を少なくできる。
【００３１】
なお、図５に示すように、補助電極５の長さをさらに短くしてもよい。
【００３２】
図６は、第３の実施の形態に係る電界通信装置１Ｃの構成を示す斜視図である。
【００３３】
電界通信装置１Ｃは、電界通信装置１Ａと違い、補助電極５の中央付近の部分が被覆５１に覆われている。すなわち、被覆５１は、利用者がストラップ３を首に掛けた場合、その首の位置に設けられている。補助電極５の金属が剥き出しの場合、外部の金属との接触によって放射による伝搬が生じ、電界により伝搬する信号の強度が低下する可能性がある。そこで、補助電極５を被覆５１で覆うことにより、そのような伝搬の発生、ならびに電界により伝搬する信号の強度低下を防ぐことができる。
【００３４】
図７は、第４の実施の形態に係る電界通信装置１Ｄの構成を示す斜視図である。
【００３５】
電界通信装置１Ｄは、電界通信装置１Ｃと違い、被覆５１に覆われているのは、補助電極５の中央付近以外の部分である。すなわち、被覆５１は、利用者がストラップ３を首に掛けた場合、利用者の体の位置に設けられている。電界通信装置１Ｄでは、補助電極５の中央付近以外での外部金属との接触を防止できる。
【００３６】
図８は、第５の実施の形態に係る電界通信装置１Ｅの構成を示す斜視図である。
【００３７】
電界通信装置１Ｅは、電界通信装置１Ｃ、１Ｄと違い、被覆５１に覆われているのは、補助電極５のほぼ全体である。電界通信装置１Ｅでは、補助電極５のほぼ全体で外部金属との接触を防止できる。
【００３８】
図９は、第６の実施の形態に係る電界通信装置１Ｆの構成を示す斜視図である。
【００３９】
電界通信装置１Ｆは、片持ちタイプとし、補助電極５の一部を被覆５１で覆ったものであり、外部金属と補助電極５の接触を防止でき、補助電極５の部材の量を少なくできる。
【００４０】
図１０は、第７の実施の形態に係る電界通信装置１Ｇの構成を示す斜視図である。
【００４１】
電界通信装置１Ｇは、片持ちタイプとし、補助電極５のほぼ全部を被覆５１で覆ったものであり、外部金属と補助電極５の接触を防止でき、補助電極５の部材の量を少なくできる。
【００４２】
なお、図１１に示すように、補助電極５の長さをさらに短くし、その補助電極５のほぼ全部を被覆５１で覆うこともできる。
【００４３】
図１２は、第８の実施の形態に係る電界通信装置１Ｈの構成を示す斜視図である。
【００４４】
電界通信装置１Ｈでは、ケース２において電界通信媒体に吊した際に水平方向を向く１つのケース面２１が透明であり、回路１はケース面２１側に画面１１を有し、容量結合電極４がケース面２１の反対側のケース面２２に設けられている。
【００４５】
例えば、画面１１には、利用者である社員の顔や社員番号などを表示し、電界通信装置１Ｈを社員証として使用すれば、容量結合電極４は自ずと人体に向く。したがって、容量結合電極４と人体の間の電界強度が強まり、信号品質を安定させることができる。
【００４６】
なお、補助電極５の態様については、同図のようなものに限らず、他の実施の形態と同じであってもよい。また、被覆５１を設けてもよい。
【００４７】
図１３は、第９の実施の形態に係る電界通信装置１Ｊの構成を示す斜視図である。
【００４８】
電界通信装置１Ｊでは、ケース２において電界通信媒体に吊した際に水平方向を向く１つのケース面２１に容量結合電極４が設けられ、ケース面２１の反対側のケース面２２に第２の容量結合電極４Ｂが設けられ、第２の容量結合電極４Ｂに第２の補助電極５Ｂが接続され、補助電極５がストラップ３における容量結合電極４側の部分に沿わされて配置され、第２の補助電極５Ｂがストラップ３における第２の容量結合電極４Ｂ側の部分に沿わされて配置されている。
【００４９】
例えば、ストラップ３は、幅広タイプのものが使用される。
【００５０】
電界通信装置１Ｊによれば、容量結合電極４が人体に向けば、容量結合電極４と補助電極５が人体に密着しやすく、一方、第２の容量結合電極４Ｂが人体に向けば、第２の容量結合電極４Ｂと第２の補助電極５Ｂが人体に接触しやすく、いずれの場合でも、信号品質を高く維持できる。
【符号の説明】
【００５１】
１…回路
１Ａ、１Ｂ、１Ｃ、１Ｄ、１Ｅ、１Ｆ、１Ｇ、１Ｈ、１Ｊ、１Ｘ…電界通信装置
２…ケース
３…ストラップ
４…容量結合電極
４Ｂ…第２の容量結合電極
５…補助電極
５Ｂ…第２の補助電極
１１…画面
２１、２２…ケース面
５１…被覆
【図１】
2015002508.tif 000003
【図２】
2015002508.tif 000004
【図３】
2015002508.tif 000005
【図４】
2015002508.tif 000006
【図５】
2015002508.tif 000007
【図６】
2015002508.tif 000008
【図７】
2015002508.tif 000009
【図８】
2015002508.tif 000010
【図９】
2015002508.tif 000011
【図１０】
2015002508.tif 000012
【図１１】
2015002508.tif 000013
【図１２】
2015002508.tif 000014
【図１３】
2015002508.tif 000015
【図１４】
2015002508.tif 000016
【図１５】
2015002508.tif 000017